(57)【要約】【課題】着脱部材の挿入により変位する可動接片と固定接片との摺動距離をより多く確保して、導通による検出精度の信頼性を向上させ、また、コネクタの大型化を防止する。【解決手段】着脱部材（カード４）を検出する接点機構であって、可動接点部１４と、固定接点対とを備える構成である。可動接点部は、着脱部材の挿入に応じて位置変化を生じる。固定接点対は、第１の固定接点部１０及び第２の固定接点部１２を有し、前記位置変化した前記可動接点部が前記第１の固定接点部及び前記第２の固定接点部に摺動接触し、該可動接点部を介して前記第１の固定接点部と前記第２の固定接点部が導通する構成である。【選択図】図１
2011014311.tif 000002
【特許請求の範囲】
【請求項１】
着脱部材の挿入に応じて位置変化を生じる可動接点部と、
第１の固定接点部及び第２の固定接点部を有し、位置変化した前記可動接点部が前記第１の固定接点部及び前記第２の固定接点部に摺動接触し、該可動接点部を介して前記第１の固定接点部と前記第２の固定接点部とが導通する固定接点対と、
を備えることを特徴とする接点機構。
【請求項２】
前記固定接点対は、前記第１の固定接点部と前記第２の固定接点部とを所定の間隔で対向させた対向部を構成し、位置変化した前記可動接点部を該対向部で挟持することを特徴とする請求項１記載の接点機構。
【請求項３】
前記第１の固定接点部と前記第２の固定接点部とは、前記可動接点部の厚さよりも狭い間隔で対向することを特徴とする請求項２記載の接点機構。
【請求項４】
前記可動接点部は、前記着脱部材の挿入に応じて、前記着脱部材の挿入方向に移動するスライダ部に設置され、該スライダ部とともに位置変化を生じることを特徴とする請求項１ないし３のいずれかに記載の接点機構。
【請求項５】
カードの着脱を検出するカード検出装置であって、
着脱可能なカードの挿入に応じて位置変化を生じる可動接点部と、
第１の固定接点部及び第２の固定接点部を有し、前記カードが挿入された際に、位置変化した前記可動接点部が前記第１の固定接点部及び前記第２の固定接点部に摺動接触し、該可動接点部を介して前記第１の固定接点部と前記第２の固定接点部とが導通する固定接点対と、
を備え、固定接点対の導通によって前記カードを検出することを特徴とするカード検出装置。
【請求項６】
カードの着脱を検出するカード検出方法であって、
着脱可能なカードの挿入に応じて可動接点部に位置変化を生じさせることにより、第１の固定接点部と第２の固定接点部との間に前記可動接点部を摺動接触させるステップと、
前記可動接点部と前記第１の固定接点部及び前記第２の固定接点部との導通を検出するステップと、
を含むことを特徴とするカード検出方法。
【発明の詳細な説明】
【技術分野】
【０００１】
本発明は、着脱部材の嵌合又は着脱の状態を検出する接点機構に関し、例えば、カード等の挿入に応じて変位させた可動接点を、固定した接点に対して接触させ、その導通状態を検出する接点機構、カード検出装置及びカード検出方法に関する。
【背景技術】
【０００２】
従来、携帯電話機やカメラ等の電子機器の記録手段として用いられる着脱可能なメモリーカードに対し、機器でのカードの有無を検出する手段として、カードの挿入により接触端子を移動させ、この接触端子と検出側の端子との接触による導通を検出するものがある。
【０００３】
斯かるカード検出に関し、可動接点と固定接点を有し、樹脂性のアクチュエータを備え、挿入されたカードによって可動接点を動作させて固定接点と導通させること（特許文献１）、可動接触片と、この可動接触片に待機時に接触している固定接触片からなるスイッチ、カバーのスライド時に可動接触片が操作子により固定接触片から離れてスイッチが開となること（特許文献２）が知られている。
【０００４】
また、カードが挿入口内の最奥部まで差し込まれることで、アクチュエータと検出接点部とを弾接して、カード検出のスイッチを構成すること（特許文献３）、カードの挿入によりスライド部材が移動することで可動接点が変位し、相手方接点と接触することや、可動接点及び相手方接点には、摺動接点部及び突き合わせ接点部を備えること（特許文献４）、カードの挿入により第１のスイッチ端子が変位し、第２のスイッチ端子と接触又は未接触となることでカードの検出をすること（特許文献５）が知られている。
【先行技術文献】
【特許文献】
【０００５】
【特許文献１】特開２００４−１８５８２２号公報
【特許文献２】特開２００８−２３４８８１号公報
【特許文献３】特開平１１−０９７１１０号公報
【特許文献４】特開２００７−２４２２６９号公報
【特許文献５】特開２００６−１０７９７１号公報
【発明の概要】
【発明が解決しようとする課題】
【０００６】
ところで、これらのカード検出では、カードの挿入により可動側の接触端子と検出側の接触端子との接触により、その導通検出から嵌合を判断するが、例えば接触端子の接点部にゴミが付着したり、電子機器等の封孔処理剤等の影響を受けて接触不良となる場合がある。
【０００７】
斯かる接触不良を回避するため、端子同士を摺動させる手法があるが、従来の接触端子では摺動量が少なく、十分なワイピング効果を得ることが困難であった。また、摺動量を多く取るため、例えば、挿入されたカードに接触する可動側の接触端子の凸部を大きくすると、摺動させる固定側の接触端子も大型化し、電子機器等のカードコネクタの全体を大きくする必要があった。その他、カードの挿入方向に対して抵抗力が増加する等、電子機器等への実装が困難となる。
【０００８】
斯かる要求や課題について、特許文献１〜５にはその開示や示唆はなく、それを解決する構成等についての開示や示唆はない。
【０００９】
そこで、本開示の接点機構、カード検出装置又はカード検出方法の目的は、接触させる可動接点部と固定接点部との摺動距離をより多く確保することにある。
【００１０】
また、本開示の接点機構、カード検出装置又はカード検出方法の他の目的は、カード挿入による導通状態の検出精度を向上させることにある。
【課題を解決するための手段】
【００１１】
上記課題を解決するため、本開示の接点機構、カード検出装置及びカード検出方法では、挿入した着脱部材によって可動接点部が位置変化し、この可動接点部の位置変化によって固定接点対に摺動しながら接触させる。そして、接触した可動接点部が固定接点対を導通状態にする構成である。
【００１２】
そこで、上記目的を解決するため、本開示の接点機構では、着脱部材を検出する接点機構であって、可動接点部と、固定接点対とを備える構成である。可動接点部は、着脱部材の挿入に応じて位置変化を生じる。固定接点対は、第１の固定接点部及び第２の固定接点部を有し、位置変化した前記可動接点部が前記第１の固定接点部及び前記第２の固定接点部に摺動接触し、該可動接点部を介して前記第１の固定接点部と前記第２の固定接点部とが導通する。
【００１３】
また、上記目的を解決するため、本開示のカード検出装置では、カードの着脱を検出する検出装置であって、可動接点部と、固定接点対とを備える構成である。可動接点部は、着脱可能なカードの挿入に応じて位置変化を生じる。固定接点対は、第１の固定接点部及び第２の固定接点部を有し、前記カードが挿入された際に、位置変化した前記可動接点部が前記第１の固定接点部及び前記第２の固定接点部に摺動接触し、該可動接点部を介して前記第１の固定接点部と前記第２の固定接点部とが導通する。そして、固定接点対の導通によって前記カードを検出する構成である。
【００１４】
また、上記目的を解決するため、本開示のカード検出方法では、カードの着脱を検出する検出方法であって、摺動接触させるステップと、導通を検出するステップとを含む構成である。摺動接触させるステップでは、着脱可能なカードの挿入に応じて可動接点部に位置変化を生じさせることにより、第１の固定接点部と第２の固定接点部との間に前記可動接点部を摺動接触させる。導通を検出するステップでは、前記可動接点部と前記第１の固定接点部及び前記第２の固定接点部との導通を検出する。
【発明の効果】
【００１５】
本開示の接点機構、カード検出装置又はカード検出方法によれば、次のような効果が得られる。
【００１６】
(1) 可動接点部と固定接点対との摺動によるワイピング効果が高められ、カード挿入の検出精度を向上させることができる。
【００１７】
(2) カード挿入による可動接点部の位置変化を大きくしても、摺動させる固定接点側が変位しないので、カード用コネクタやカード検出機能を備える機器の大型化を防止できる。
【００１８】
そして、本発明の他の目的、特徴及び利点は、添付図面及び各実施の形態を参照することにより、一層明確になるであろう。
【図面の簡単な説明】
【００１９】
【図１】第１の実施の形態に係るカード検出装置の一例を示す図である。
【図２】図１に示すカード検出装置の側面図である。
【図３】可動接片の構成例を示す図である。
【図４】可動接片と固定接片の接触状態例を示す図である。
【図５】スライダに設置された可動接片の構成例を示す斜視図である。
【図６】スライダに設置された可動接片の構成例を示す正面図である。
【図７】可動接片の接点部の位置変化の状態例を示す図である。
【図８】カードの一部挿入時の状態例を示す図である。
【図９】カードによりコンタクトが押圧を受けて位置変化した状態を示す図である。
【図１０】カードの先端部がスライダに接触する位置まで挿入した状態を示す図である。
【図１１】コネクタの奥までカードを挿入した状態を示す図である。
【図１２】コンタクトの位置変化による摺動状態を示す図である。
【図１３】カード挿入方向へ移動したコンタクトの摺動状態の一例を示す図である。
【図１４】第２の実施の形態に係るハートカム機構の溝の構成例を示す図である。
【図１５】ハートカム機構の段差の構成例を示す模式図である。
【図１６】第３の実施の形態に係るカード検出装置の構成例を示す図である。
【図１７】カード挿入時のカード検出状態の例を示す図である。
【図１８】可動接片の位置変化による摺動状態を示す図である。
【図１９】可動接片の位置変化に対して、摺動距離が小さい場合の比較例を示す図である。
【図２０】可動接片の接触部を大きくした場合の比較例を示す図である。
【発明を実施するための形態】
【００２０】
〔第１の実施の形態〕
【００２１】
第１の実施の形態は、接点機構、カード検出装置及びカード検出方法の一例であって、カードの挿入により位置変化する可動接点部をスライダに設置した構成例を示す。
【００２２】
第１の実施の形態について、図１、図２、図３及び図４を参照する。図１は、第１の実施の形態に係るカード検出装置の一例を示す図、図２は、図１に示すカード検出装置の側面図、図３は、可動接片の構成例を示す図、図４は、可動接片と固定接片の接触状態例を示す図である。なお、図１、図２、図３及び図４に示す構成及び配置は一例であって、これに限られない。
【００２３】
コネクタ２は、着脱部材の一例であるメモリ用のカード４等の挿入又は着脱による嵌合を検出する接点機構、カード検出装置又はカード検出方法の一例であって、例えば、挿入又は着脱可能な記録媒体であるカード４を所定の位置で保持し、データ等の読み込み又は書込みを行う装置である。このコネクタ２は、図１に示すように、例えば、ハウジング６、スライダ８、コンタクト（Ａ）１０、コンタクト（Ｂ）１２、コンタクト（Ｃ）１４等を含む構成である。そして、コンタクト１４との接触によるコンタクト１０とコンタクト１２との導通状態によって、カードの有無を検出する。
【００２４】
ハウジング６は、挿入されるカード４を保持する保持手段の一例であって、例えば、コネクタ２からカード４が意図せず抜け落ちるのを防止している。このハウジング６は、後述するスライダ８、コネクタ２へのカード４の有無を検出するカード検出手段等を備えた筐体部を構成する。ハウジング６は、例えば、電気的に絶縁性の樹脂部材をモールド等で形成しており、後述の挿入又は着脱検出において、挿入されたカード４に対して不要に導通状態となるのを防止している。
【００２５】
スライダ８は、コネクタ２に挿入されたカード４の位置決め手段、又はカード４をコネクタ２から排出させる排出手段の一例であって、カード４の挿入に応じて移動する。このスライダ８は、ハウジング６の内側に設置され、例えば、挿入されるカード４の側面及び前面の一部に接触し、図示しない電子機器等の端子部に対して、カード４に構成された端子の位置決めを行う。これにより、電子機器とカード４との間でデータ等の読出しや書込みの処理が行われる。また、カード４の排出処理では、スライダ８によって、ハウジング６の排出位置までカード４が導かれる。スライダ８は、スプリング１６やピン１８等を含む構成であり、ハウジング６に接続したスプリング１６の伸縮によって位置決め及び排出動作を行っている。
【００２６】
コンタクト１０及びコンタクト１２は、第１及び第２の固定接点部を含む固定接片の一例であって、固定接点対を構成する。コンタクト１０及びコンタクト１２は、例えば、導電性の金属等で構成すればよく、ハウジング６内の側面側に配置されている。このコンタクト１０、１２は、それぞれの一端をハウジング６外に突出させており、例えば、図示しない電子機器等の基板上のカード検出手段に接続している。コンタクト１０、１２は、例えば、対向して配置されており、その一端側には、図２に示すように、後述するコンタクト１４と接触する接点部２０、２２が構成されている。そして、この接点部２０、２２同士を接近させて、所定の間隔で対向させた対向部２３を構成している。この対向部２３の間隔は、後述するように、挿入したコンタクト１４をコンタクト１０とコンタクト１２とで挟持し、重合するように設定されており、例えば、挿入されるコンタクト１４の接点部２４（図３）の厚さよりも狭く設定される。なお、この実施の形態では、コンタクト１０及びコンタクト１２の一部を接近させて対向部２３を構成しているが、例えば、コンタクト１０及びコンタクト１２の全体で対向部２３を構成してもよい。また、コンタクト１０及びコンタクト１２は、コンタクト１４を挟持可能な構成として、例えば、板バネで構成してもよい。
【００２７】
コンタクト１４は、カード検出装置等の可動接点部を含む可動接片の一例であって、導電性の金属等で構成すればよい。このコンタクト１４は、図３に示すように、一端側にコンタクト１０、１２に接触させる接点部２４と、挿入されたカード４と接触させる接触部２６と、他端側に端部２８とを備える構成である。コンタクト１４は、例えば、図１に示すように、スライダ８内に配置されており、端部２８側をスライダ８に固定している。接触部２６は、例えば、可動接片の一部を「く」字状に変形させて凸部を形成しており、この接触部２６が、挿入されたカード４に接触することでカード４からの押圧を受ける。
【００２８】
コンタクト１４の接点部２４は、例えば、接触部２６よりも可動方向に幅が広く、また、厚さの薄い平面部３０で構成されている。そして、図４に示すように、可動接点部と固定接点対との接触によるカード検出では、コンタクト１４の接点部２４をコンタクト１０、１２の対向部２３に挿入し、接点部２０、２２で挟持して、重合させる。これにより、コンタクト１４を介してコンタクト１０とコンタクト１２との間で導通し、カード４の挿入又は着脱の検出を行う。
【００２９】
なお、このコンタクト１４の接点部２４は、コンタクト１４と一体に形成してもよく、又は平面状の別部材をコンタクト１４の平面部３０として設置してもよい。
【００３０】
次に、スライダに構成した可動接点部について、図５、図６及び図７を参照する。図５は、スライダに設置した可動接片の構成例を示す斜視図、図６は、スライダに設置した可動接片の構成例を示す正面図、図７は、可動接片の接点部の位置変化の状態例を示す図である。なお、図５、図６及び図７に示す構成は一例であって、これに限られない。
【００３１】
スライダ８は、例えば、Ｌ字状に形成されており、Ｌ字状の２辺の交点部分の内側には、挿入されるカード４の切り欠き部分に当接するように斜面部３２が形成されている。スライダ８には窓部３４が形成されており、図５に示すように、この窓部３４内にコンタクト１４の接触部２６が配置されている。そして、図６に示すように、窓部３４から接触部２６が突出され、スライダ８に沿ってカード４が挿入されると、カード４がこの接触部２６に接触し、コンタクト１４が押圧を受ける。
【００３２】
また、コンタクト１４の端部２８は、スライダ８に設置させる設置部であり、カード４からの押圧に対して、コンタクト１４がスライダ８からずれないように固定されている。このような構成により、スライダ８内に配置したコンタクト１４の接触部２６は、図７に示すように、カード４からの押圧によりＸ1 の位置変化が生じ、この接触部２６の位置変化に応じて、接点部２４が変位する。
【００３３】
次に、カード検出におけるコネクタ内のスライダや可動接片の状態について、図８、図９、図１０及び図１１を参照する。図８は、カードの一部挿入時の状態例を示す図、図９は、カードによりコンタクトが押圧を受けて位置変化した状態を示す図、図１０は、カードの先端部がスライダに接触する位置まで挿入した状態を示す図、図１１は、コネクタの奥までカードを挿入した状態を示す図である。なお、図８、図９、図１０及び図１１に示す構成は一例であって、これに限られない。
【００３４】
まず、スライダ８やピン１８、及びスプリング１6 等の配置構成例について説明する。
【００３５】
スライダ８は、カード４の挿入方向に対して前後にスライド動作を行い、挿入されるカード４の位置決め、排出処理等を行う。図８に示すように、ピン１８は一端側をスライダ８の上面に接続し、他端側をカード４の挿入方向に対して突き当たる位置のハウジング６上に設置する。そして、そのピン１８に沿って、スライダ８の前面部とハウジング６とで挟み込むようにスプリング１６を設置している。このピン１８及びスプリング１６は、スライダ８に対する付勢手段の一例であって、カード４の挿入によるスライダ８の移動に対して、反力を加える。
【００３６】
また、スライダ８には、このピン１８及びスプリング１６による反力を利用した位置決め手段として、ハートカム機構を用いた溝３６を備えている。スライダ８側に設置されたピン１８の先端部は溝３６に係合させており、カード４の挿入によるスライダ８の移動に応じて、ピン１８の先端部が溝３６内を移動する。この溝３６には、ハートカム機構が形成する各頂点として、例えば、Ｐ1 、Ｐ2 、Ｐ3 、Ｐ4 が設定されている。なお、この溝３６の内部に設定された各頂点Ｐ2 、Ｐ3 、Ｐ4 には、例えば、段差等の逆走防止手段を設けてもよい。
【００３７】
このような構成において、スライダ８の移動と、溝３６におけるピン１８の移動との関係について説明する。図８に示すように、カード４がコネクタ２に一部挿入されている状態、又は未挿入状態であって、スライダ８が移動していない場合には、スプリング１６が最も長い状態となり、ピン１８の先端部が溝３６の頂点Ｐ1 に位置する。そして、図９、図１０に示すように、スライダ８がカード４の挿入によって押し込まれると、図１１に示すように、スライダ８の前進により、スプリング１６がピン１８に沿って圧縮される。この場合、ピン１８の長さは変わらずに、ピン１８の先端部は溝３６に沿って移動する。頂点Ｐ1 から頂点Ｐ2 へのピン１８の先端部の変位量は、カード４の挿入によるスライダ８の移動量に対応しており、ピン１８が頂点Ｐ2 に達することは、スライダ８がコネクタ２の最大挿入位置まで押し込まれたことを示している。
【００３８】
ピン１８は、溝３６の頂点Ｐ2 に達すると、その位置に固定されず、スプリング１６の反力により、頂点Ｐ3 側へと導かれる。即ち、この頂点Ｐ2 から頂点Ｐ3 への移動により、スライダ８とカード４は、コネクタ２の挿入口側へと押し戻される。溝３６は例えば、逆Ｖ字状に形成され、この頂点Ｐ3 では、スプリング１６の反力に対向して、ピン１８の先端部が留められるので、スライダ８及びカード４の挿入位置が固定される。
【００３９】
カード４の排出には、例えば、所謂プッシュ／プッシュ型を利用しており、カード４を再びコネクタ２の挿入方向に押し込むことで、ピン１８が頂点Ｐ3 から頂点Ｐ4 側を通過して、頂点Ｐ1 側へと戻る。これにより、スプリング１６が元の長さに戻り、スライダ８がカード未挿入時の位置に戻ることで、カード４の排出処理が行われる。
【００４０】
次に、カード検出方法について説明する。
【００４１】
このカード検出方法では、挿入されたカード４からの押圧により、可動接片であるコンタクト１４の接点部２４が位置変化し、この接点部２４が固定接片であるコンタクト１０、１２に挟まれることで摺動接触する。また、スライダ８に設置されたコンタクト１４は、コンタクト１０、１２に挟まれ、接触した状態で、カード４の挿入方向に移動する。このように、コンタクト１４を介してコンタクト１０、１２が導通状態となることでカード４の検出が行われる。このとき、コンタクト１４の接点部２４は、押圧による位置変化及びスライダ８の移動による位置変化により、コンタクト１０とコンタクト１２との間で摺動する。
【００４２】
まず、カード４がコネクタ２の所定位置まで挿入されていない状態、又はカード未挿入状態では、図８に示すように、コンタクト１４の接触部２６にカード４が接触せず、接点部２４はスライダ８の内部に位置している。従って、コンタクト１４と、コンタクト１０及びコンタクト１２とが接触せず非導通であり、例えば、図示しないカード検出判定手段等において、カード４は挿入されていないと判断される。
【００４３】
コネクタ２の所定位置として、コンタクト１４の接触部２６の位置までカード４が挿入されると、図９に示すように、コンタクト１４は、カード４からの押圧を受ける。これにより、コンタクト１４の接点部２４が変位し、スライダ８に設けられた窓部３８から突出する。この変位によりコンタクト１４の接点部２４は、コンタクト１０、１２の接点部２０、２２に対して挟み込まれて接触し、導通状態となる。
【００４４】
さらに、コネクタ２の内部にカード４を挿入すると、図１０に示すように、カード４の先端部分とスライダ８とが接触する。そして、図１１に示すように、カード４の挿入によって、スライダ８とともにコンタクト１４もカード挿入方向に位置変化する。この位置変化によって、コンタクト１４の接点部２４は、接触しているコンタクト１０、１２の接点部２０、２２に対して摺動する。
【００４５】
カード４がコネクタ２の奥まで押し込まれると、ピン１８が溝３６の頂点Ｐ2 に移動し、スライダ８の挿入方向への移動を制限する。そして、カード４への押し込みを解除すると、ピン１８が溝３６の頂点Ｐ3 に移動し、カード４が固定される。このとき、コンタクト１４の接点部２４は、接点部２０、２２に挟まれた状態であり、コンタクト１０とコンタクト１２とが導通状態となっている。
【００４６】
また、カード４の排出時には、既述のように、再びカード４を挿入方向に押し込むことで、スライダ８とともにコンタクト１４が押し込まれる。この動作においても、コンタクト１４の接点部２４が、接触しているコンタクト１０、１２の接点部２０、２２に対して摺動する。また、スライダ８が初期位置（図８）まで戻るときにも、コンタクト１４の接触部２４がコンタクト１０、１２の接点部２０、２２との間で、カード挿入方向に対して逆方向に摺動しながら移動する。そして、カード４がコネクタ２の所定位置（図８）まで排出されると、カード４によるコンタクト１４への押圧が解除される。これにより、コンタクト１０とコンタクト１２との導通状態が解除され、既述のカード検出装置において、カード４が未挿入状態であると判断される。
【００４７】
次に、コンタクト１０、１２と、コンタクト１４との摺動について、図１２及び図１３を参照する。図１２は、コンタクトの位置変化による摺動状態を示す図、図１３は、カード挿入方向へ移動したコンタクトの摺動状態を示す図である。なお、図１２及び図１３に示す構成は一例であって、これに限定されない。
【００４８】
まず、カード４の押圧によるコンタクト１４の位置変化に応じた摺動について説明する。コンタクト１４は、既述のように、カード４の挿入により押圧を受けることで位置変化を生じる。そして、図１２に示すように、接触部２６が押圧によって、例えば、Ｘ1 だけ変位すると、接点部２４が位置ＰA からＰB へと位置変化する。この位置変化により、接点部２４は、コンタクト１０及びコンタクト１２の対向部２３内に挟入されることで、例えば、距離Ｘ2 の摺動が行われる。なお、図１２に示す摺動距離Ｘ2 は、接点部２４の任意の一点における例を示したものであり、コンタクト１０とコンタクト１２との接触位置によって摺動距離は異なる。
【００４９】
次に、カード挿入方向への移動による摺動について説明する。図１３のＡは、コンタクト１４の移動前の状態を示している。このとき、コンタクト１４の接点部２４の一部は、カード４挿入による接点部２４の位置変化により、コンタクト１０、１２に接触している。図１３のＢは、コンタクト１４が距離ｙ1 だけ移動し、接点部２４がコンタクト１０の接点部２０とコンタクト１２の接点部２２との間の対向部２３で挟持され、重合した状態を示している。図１３において、接点部２４と、接点部２０、２２との接触開始の位置をＰC 、カード挿入方向への移動後の位置をＰD としている。
【００５０】
そして、既述のように、コンタクト１４の接点部２４は、移動前にコンタクト１０、１２に接触していることから、摺動距離ｙ2 は、コンタクト１４の接点部２４の移動距離ｙ1 に対応する。即ち、位置ＰC におけるコンタクト１４とコンタクト１０、１２との接触状態に応じて、摺動距離ｙ2 は移動距離ｙ1 と同等又はｙ1 より短い距離となる。
【００５１】
以上より、コンタクト１４の接点部２４は、コンタクト１０、１２に対し、押圧による位置変化の方向にＸ2 、カード４の挿入方向にｙ2 の摺動距離を得ることができる。
【００５２】
斯かる構成によれば、カードの挿入による可動接片の位置変化及び移動に関し、対向して配置した固定接片に、可動接片を挟入させることで、可動接片の接点部の摺動距離をより多く取ることができる。また、摺動距離を大きく取るために可動接片の変位量を大きくしても、それに伴って固定接片側が変位することがないので、コネクタ等のカード検出装置の大型化を防止することができる。
【００５３】
〔第２の実施の形態〕
【００５４】
第２の実施の形態は、ハートカム機構の構成例に関する。
【００５５】
次に、第２の実施の形態について、図１４及び図１５を参照する。図１４は、第２の実施の形態に係るハートカム機構の溝の構成例を示す図、図１５は、ハートカム機構の段差の構成例を示す模式図である。なお、図１４及び図１５に示す構成は一例であって、これに限られない。また、図１４の構成において、図８〜図１１と同一部分には、同一符号を付している。
【００５６】
既述のように、ハートカム機構は、スライダ８の移動制御によるカード４の位置決め手段又は、カード４の排出手段等を構成している。これにより、例えば、スライダ８の内部に備えられ、スライダ８の移動によって位置変化する可動接片の移動制御手段としても機能する。
【００５７】
ハートカム機構の溝３６の内部には、図１４に示すように、各頂点Ｐ1 、Ｐ2 、Ｐ3 、Ｐ4 を備え、これらの各頂点間には、例えば、複数箇所に構成された段差による高低差を利用したピン１８の逆走防止手段を備えている。図１４のＡ、Ｂ、Ｃ・・・Ｌの符号は、溝３６の底面について、高さが異なる位置を示しており、図１５には、溝３６の各Ａ〜Ｌまでの底面の高低状態例を示している。
【００５８】
この溝３６の底面の高低差による逆走防止手段では、図１５に示すように、例えば、頂点Ｐ2 において、ピン１８が位置Ｃから位置Ｄへと移動することで、上面から下面へと移動する。同様に、頂点Ｐ3 において、位置Ｆから位置Ｇへと移動し、頂点Ｐ4 において、位置Ｉから位置Ｊへと移動し、頂点Ｐ1 において、位置Ｌから位置Ａへと移動することで、それぞれ上面から下面へと移動する。これにより、各頂点Ｐ1 〜Ｐ4 の直前に設けられた段差によって、ピン１８の逆走を防止できる。
【００５９】
これにより、ハートカム機構では、カード４が挿入されることで、スライダ８の移動により、ピン１８が頂点Ｐ1 からＰ2 を介してＰ3 へと移動し、これに伴って、可動接片であるコンタクト１４も同時に移動する。従って、カード未挿入状態を示す頂点Ｐ1 から、カード４の挿入状態を示す頂点Ｐ3 までの直線距離が、コンタクト１４の移動距離ｙ1 に対応する。
【００６０】
斯かる構成によれば、上記の実施の形態と同様に、より多くの摺動距離を取ることができ、ワイピング効果が高められる。ハートカム機構により、スライダの移動経路や停止位置を決め、また、逆走防止手段により、カード挿入による可動接片の移動や停止位置が決まるので、固定接片に対する接触及び摺動等の精度を向上させ、カード挿入の検出精度の信頼性を向上させることができる。
【００６１】
〔第３の実施の形態〕
【００６２】
第３の実施の形態は、可動接片の位置変化による摺動の変形例に関する。
【００６３】
次に、第３の実施の形態について、図１６、図１７及び図１８を参照する。図１６は、第３の実施の形態に係るカード検出装置の構成例を示す図、図１７は、カード挿入時のカード検出状態の例を示す図、図１８は、可動接片の位置変化による摺動状態を示す図である。なお、図１６、図１７及び図１８に示す構成は一例であって、これに限定されない。また、図１６、図１７及び図１８において、図１等と同等の構成には、同一の符号を付している。
【００６４】
コネクタ４０は、接点機構、カード検出装置、カード検出方法の一例であって、図１６に示すように、カード保持手段であるハウジング６、可動接片であるコンタクト１４、第１及び第２の固定接点部であるコンタクト１０、１２等を含む構成である。
【００６５】
そして、このコネクタ４０では、コンタクト１４をハウジング６に設置し、カード挿入方向への移動を行わないカード検出手段を構成している。この場合、コンタクト１４は、例えば、カード４に対して平行に配置し、その一端側をハウジング６側に、例えば、所謂片持ち梁の状態で固定している。そして、図１７に示すように、カード４がコネクタ４０内に挿入されると、コンタクト１４の中央部に形成された接触部２６がカード４からの押圧を受ける。これにより、コンタクト１４の接点部２４は、例えば、てこの原理により、位置変化する。
【００６６】
コンタクト１０、１２は、例えば、既述のように、対向して配置しており、所定の間隔で対向させた対向部２３（図１６）を構成している。そして、コンタクト１４の接点部２４を対向部２３に挿入し、コンタクト１０、１２の接点部２０、２２により挟持することにより、重合状態となる。
【００６７】
このように、コンタクト１４の接点部２４がコンタクト１０の接点部２０とコンタクト１２の接点部２２とに挟み込まれて摺動接触する。この場合、図１８に示すように、例えば、コンタクト１４の変位量をＸ1 とすると、接点部２４の任意の位置の摺動距離はＸ3 となる。
【００６８】
なお、このコネクタ４０は、第１の実施の形態に対して、可動接片であるコンタクト１４を移動させない構成を例示した実施の形態であり、コネクタ４０にスライダの設置を制限する構成を示すものではない。従って、カード保持手段、位置決め手段、排出手段として、図示しないスライダを備えてもよい。
【００６９】
斯かる構成によれば、カードの挿入により位置変化する可動接片を、第１及び第２の固定接片に挟み込んで摺動接触させることで、可動接片の接点部への摺動距離を大きく取ることができる。また、摺動距離を大きく取ることにより、カード検出精度の信頼性を向上させるとともに、コネクタが大型化するのを防止することができる。
【００７０】
〔比較例〕
【００７１】
次に、上記実施の形態に対する比較例として、図１９及び図２０を参照する。図１９は、可動接片の位置変化に対して、摺動距離が小さい場合の比較例を示す図、図２０は、可動接片の接触部を大きくした場合の比較例を示す図である。
【００７２】
この比較例に示すカード検出装置１００は、例えば、カード挿入により位置変化する可動接片１０２と、この可動接片１０２の変位方向に対して垂直方向に摺動させる固定接片１０４を含む構成である。斯かる構成において、図１９に示すように、カード４の挿入に応じた可動接片１０２の変位量が小さければ、コネクタ等のカード検出装置の大型化は防止できるが、摺動量が少ないので、充分なワイピング効果を得るのが困難となる。
【００７３】
また、図２０に示すカード検出装置１１０は、可動接片１１２の変位量を大きくするために、カード４との接触部１１４である凸部を大きくした構成である。このように構成すすると、固定接片１１６に対する摺動量は増加する。しかし、接触する固定接片１１６の配置角度を大きくしたり、又は、可動接片１１４の変位量に合わせて、カード４から離した位置に配置させる必要がある等、全体としてコネクタ等のカード検出装置の大型化が必要になる。さらに、カード４を挿入するために、より大きな力を要することにもなる。これに対し、上記実施の形態に示す構成によれば、このような不都合を生じることがない。
【００７４】
〔他の実施の形態〕
【００７５】
(1) 上記実施の形態では、カード４の挿入に応じて位置変化したコネクタＣ１４が接触することで、コンタクト１０とコンタクト１２とを導通させる構成であるが、これに限られず、コンタクト１４の接触により導通を解除する構成としてもよい。例えば、図２に示すコネクタ２において、固定接片であるコンタクト１０とコンタクト１２を接触させて配置し、カード４の挿入が検出されない場合には常に導通状態にする。即ち、対向部２３の間隔を０にする。そして、カード４がコネクタ２に挿入されると、既述のように、可動接片であるコンタクト１４の接点部２４が位置変化して、コンタクト１０とコンタクト１２との対向部２３に挟入し、重合することで、その導通状態を解除する。この場合、コンタクトＣ１４は、例えば、電気的に導通させない絶縁体として、樹脂等で形成すればよい。
【００７６】
このコネクタ２では、コンタクト１４の接点部２４は、コンタクト１０、１２の対向部２３に挟み込まれて摺動接触する。斯かる構成によっても、カード用コネクタを大型化させずに、多くの摺動距離を得ることができる。また、接触するコンタクト１０及びコンタクト１２と、コンタクト１４とを摺動することで、ワイピング効果を得ることができ、カード挿入の検出精度を向上させることができる。さらに、付随的な効果として、カード４に接触するコンタクト１４を絶縁体等で構成できるので、カード挿入時に、カード４側に対して不要に導通となるのを防止することができる。
【００７７】
(2) 上記実施の形態では、カード４からの押圧に応じた位置変化で生じる摺動、又はこの押圧で生じる摺動とともにカード挿入方向への移動で生じる摺動を行う場合について例示したが、これに限られず、例えば、カード挿入方向への移動で生じる摺動のみを行う構成としてもよい。即ち、上記構成において、スライダ８に構成したコンタクト１４に対し、カード４からの押圧による接点部２４の位置変化（図１０）では、コンタクト１０、１２に接触しない構成としてもよい。
【００７８】
斯かる構成によれば、カードの挿入方向への移動に応じて、多くの摺動距離を得ることができるとともに、コネクタ２の大型化を防止することができる。また、コンタクト１４の変位及び移動の２つをカード検出の条件とすることで、カード検出の精度を高めることができる。
【００７９】
(3) 上記実施の形態において例示したコンタクト１４やスライダ６の形状や構成は、限定されるものではなく、例えば、挿入されるカードの種類、形状に応じて構成を変更してもよい。
【００８０】
(4) 上記実施の形態では、カード４の挿入又は着脱を導通状態で検出する固定接点対として、第１及び第２の固定接片であるコンタクト１０、１２を示したが、これに限られず、複数の可動接点部を備えた構成でもよい。そして、これらの固定接点対に対して、カードの挿入により、可動接点部を摺動接触させ、この可動接点部を介して、固定接点対を導通状態にする構成を用いることができる。斯かる構成によっても、上記と同様の効果を得ることができる。
【００８１】
次に、以上述べた実施例を含む実施の形態に関し、更に以下の付記を開示する。以下の付記に本発明が限定されるものではない。
【００８２】
（付記１）  着脱部材の挿入に応じて位置変化を生じる可動接点部と、
第１の固定接点部及び第２の固定接点部を有し、位置変化した前記可動接点部が前記第１の固定接点部及び前記第２の固定接点部に摺動接触し、該可動接点部を介して前記第１の固定接点部と前記第２の固定接点部とが導通する固定接点対と、
を備えることを特徴とする接点機構。
【００８３】
（付記２）  前記固定接点対は、前記第１の固定接点部と前記第２の固定接点部とを所定の間隔で対向させた対向部を構成し、位置変化した前記可動接点部を該対向部で挟持することを特徴とする付記１記載の接点機構。
【００８４】
（付記３）  前記第１の固定接点部と前記第２の固定接点部とは、前記可動接点部の厚さよりも狭い間隔で対向することを特徴とする付記２記載の接点機構。
【００８５】
（付記４）  前記可動接点部は、前記着脱部材の挿入に応じて、前記着脱部材の挿入方向に移動するスライダ部に設置され、該スライダ部とともに位置変化を生じることを特徴とする付記１ないし３のいずれかに記載の接点機構。
【００８６】
（付記５）  前記可動接点部は、挿入された前記着脱部材との接触により、押圧を受ける接触部を備え、該押圧によって位置変化を生じることを特徴とする付記１又は２記載の接点機構。
【００８７】
（付記６）  前記可動接点部は、挿入された前記着脱部材からの押圧により、その一部を前記スライダ部から突出させることを特徴とする付記４記載の接点機構。
【００８８】
（付記７）  カードの着脱を検出するカード検出装置であって、
着脱可能なカードの挿入に応じて位置変化を生じる可動接点部と、
第１の固定接点部及び第２の固定接点部を有し、前記カードが挿入された際に、位置変化した前記可動接点部が前記第１の固定接点部及び前記第２の固定接点部に摺動接触し、該可動接点部を介して前記第１の固定接点部と前記第２の固定接点部とが導通する固定接点対と、
を備え、固定接点対の導通によって前記カードを検出することを特徴とするカード検出装置。
【００８９】
（付記８）  前記固定接点対は、前記第１の固定接点部と前記第２の固定接点部とを所定の間隔で対向させた対向部を構成し、位置変化した前記可動接点部を該対向部で挟持することを特徴とする付記７記載のカード検出装置。
【００９０】
（付記９）  前記第１の固定接点部と前記第２の固定接点部とは、前記可動接点部の厚さよりも狭い間隔で対向することを特徴とする付記８記載のカード検出装置。
【００９１】
（付記１０）  内部に前記可動接点部を配置し、前記カードの挿入に応じて、前記カードの挿入方向に位置変化するスライダ部を備え、
前記可動接点部は、前記カードの挿入に応じて、該スライダとともに位置変化を生じることを特徴とする付記７ないし９のいずれかに記載のカード検出装置。
【００９２】
（付記１１）  前記可動接点部は、挿入された前記カードとの接触により、押圧を受ける接触部を備え、該押圧によって位置変化を生じることを特徴とする付記７又は８記載のカード検出装置。
【００９３】
（付記１２）  前記可動接点部は、挿入された前記カードからの押圧により、その一部を前記スライダ部から突出させることを特徴とする付記１０記載のカード検出装置。
【００９４】
（付記１３）  挿入されるカードを保持する筐体部を備え、
前記固定接点対は、該筐体部に設置されることを特徴とする付記７又は８記載のカード検出装置。
【００９５】
（付記１４）  カードの着脱を検出するカード検出方法であって、
着脱可能なカードの挿入に応じて可動接点部に位置変化を生じさせることにより、第１の固定接点部と第２の固定接点部との間に前記可動接点部を摺動接触させるステップと、
前記可動接点部と前記第１の固定接点部及び前記第２の固定接点部との導通を検出するステップと、
を含むことを特徴とするカード検出方法。
【００９６】
（付記１５）  前記第１の固定接点部と前記第２の固定接点部とを所定の間隔で対向させた対向部に、位置変化した前記可動接点部を挟入させるステップと、
を含むことを特徴とする付記１４記載のカード検出方法。
【００９７】
（付記１６）  内部に前記可動接点部を配置したスライダ部を前記カードの挿入に応じて、その挿入方向に移動させるステップと、
前記カードの挿入に応じて、前記可動接点部を該スライダとともに位置変化させるステップと、
を含むことを特徴とする付記１４又は１５記載のカード検出方法。
【００９８】
（付記１７）  挿入された前記カードからの押圧により、前記可動接点部の一部を前記スライダ部から突出させるステップと、
を含むことを特徴とする付記１６記載のカード検出方法。
【００９９】
以上説明したように、接点機構、カード検出装置及びカード検出方法の好ましい実施の形態について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１００】
本開示の接点機構、カード検出装置及びカード検出方法は、カード等の着脱部材の挿入に応じて位置変化した可動接点部を、対向した第１及び第２の固定接点部に摺動接触させることで、より多くの摺動距離が得られ、ワイピング効果が高められるので、挿入されたカード等の検出精度を向上させることができ、有用である。
【符号の説明】
【０１０１】
２  コネクタ
４  カード
６  ハウジング
８  スライダ
１０、１２、１４  コンタクト
１６  スプリング
１８  ピン
２０、２２  接点部
２３  対向部
２４  接点部
２６  接触部
２８  端部
３０  平面部
３２  斜面部
３４  窓部
３６  溝
Ｐ1 、Ｐ2 、Ｐ3 、Ｐ4   頂点（ハートカム）
３８  窓部
４０  コネクタ                                                                
【図１】
2011014311.tif 000003
【図２】
2011014311.tif 000004
【図３】
2011014311.tif 000005
【図４】
2011014311.tif 000006
【図５】
2011014311.tif 000007
【図６】
2011014311.tif 000008
【図７】
2011014311.tif 000009
【図８】
2011014311.tif 000010
【図９】
2011014311.tif 000011
【図１０】
2011014311.tif 000012
【図１１】
2011014311.tif 000013
【図１２】
2011014311.tif 000014
【図１３】
2011014311.tif 000015
【図１４】
2011014311.tif 000016
【図１５】
2011014311.tif 000017
【図１６】
2011014311.tif 000018
【図１７】
2011014311.tif 000019
【図１８】
2011014311.tif 000020
【図１９】
2011014311.tif 000021
【図２０】
2011014311.tif 000022